【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
コンテンツの録画に関する情報を提供する情報提供システムであって、
ネットワーク経由で通信するネットワーク通信手段と、
コンテンツの録画に関する情報をネットワーク経由で配信する情報配信手段と、
を具備することを特徴とする情報提供システム。
【請求項２】
前記情報配信手段は、コンテンツの自動録画処理を行なうアプリケーションを配信する、
ことを特徴とする請求項１に記載の情報提供システム。
【請求項３】
前記情報配信手段は、コンテンツの自動録画に関する情報を記述した所定のデータ・ファイルを配信する、
ことを特徴とする請求項１に記載の情報提供システム。
【請求項４】
情報配信先において自動録画したコンテンツに関する視聴情報を受信する手段をさらに備える、
ことを特徴とする請求項２に記載の情報提供システム。
【請求項５】
前記アプリケーションは全日程の録画情報を含む、
ことを特徴とする請求項２に記載の情報提供システム。
【請求項６】
コンテンツの録画に関する情報を提供する情報提供方法であって、
ネットワーク経由で通信するネットワーク通信ステップと、
コンテンツの録画に関する情報をネットワーク経由で配信する情報配信ステップと、
を具備することを特徴とする情報提供方法。
【請求項７】
前記情報配信ステップでは、コンテンツの自動録画処理を行なうアプリケーションを配信する、
ことを特徴とする請求項６に記載の情報提供方法。
【請求項８】
前記情報配信ステップでは、コンテンツの自動録画に関する情報を記述した所定のデータ・ファイルを配信する、
ことを特徴とする請求項６に記載の情報提供方法。
【請求項９】
情報配信先において自動録画したコンテンツに関する視聴情報を受信するステップをさらに備える、
ことを特徴とする請求項７に記載の情報提供方法。
【請求項１０】
前記アプリケーションは全日程の録画情報を含む、
ことを特徴とする請求項７に記載の情報提供方法。
【請求項１１】
コンテンツの録画に関する情報に基づいてコンテンツの録画処理を行なうコンテンツ録画装置であって、
コンテンツを受信するコンテンツ受信手段と、
コンテンツを録画するコンテンツ蓄積手段と、
ネットワーク経由で通信するネットワーク通信手段と、
ネットワーク上のサーバからコンテンツの録画に関する情報をダウンロードする情報ダウンロード手段と、
前記サーバからダウンロードした情報を解析するダウンロード情報解析手段と、
ダウンロード情報の解析結果に基づいて、受信コンテンツの録画又は録画予約処理を制御する録画制御手段と、
を具備することを特徴とするコンテンツ録画装置。
【請求項１２】
前記情報ダウンロード手段はコンテンツの自動録画処理を行なうアプリケーションをダウンロードし、
前記録画制御手段は、該ダウンロードした自動録画アプリケーションを起動してコンテンツの録画又は録画予約を制御する、
ことを特徴とする請求項１１に記載のコンテンツ録画装置。
【請求項１３】
前記情報ダウンロード手段はコンテンツの自動録画に関する情報を記述した所定のデータ・ファイルをダウンロードし、
前記録画制御手段は、該ダウンロードしたデータ・ファイルの記述内容に従ってコンテンツの録画又は録画予約を制御する、
ことを特徴とする請求項１１に記載のコンテンツ録画装置。
【請求項１４】
前記情報ダウンロード手段は、情報のダウンロードに先立って、前記サーバと認証処理を行なう、
ことを特徴とする請求項１１に記載のコンテンツ録画装置。
【請求項１５】
前記サーバへ接続し前記情報ダウンロード手段によるダウンロードを起動する接続起動手段をさらに備える、
ことを特徴とする請求項１１に記載のコンテンツ録画装置。
【請求項１６】
前記接続起動手段は、起動可能なアプリケーション又は前記サーバからダウンロード可能な情報をユーザに提示し、ユーザの選択動作に応答してアプリケーションの起動又は情報のダウンロードを実行する、
ことを特徴とする請求項１５に記載のコンテンツ録画装置。
【請求項１７】
自動録画したコンテンツに関する視聴情報を前記サーバに送信する手段をさらに備える、
ことを特徴とする請求項１２に記載のコンテンツ録画装置。
【請求項１８】
自動録画したコンテンツを視聴したことに応答して、次の録画日程データに関するアプリケーションをダウンロードする手段をさらに備える、
ことを特徴とする請求項１２に記載のコンテンツ録画装置。
【請求項１９】
コンテンツの録画に関する情報に基づいてコンテンツの録画処理を行なうコンテンツ録画方法であって、
ネットワーク上のサーバからコンテンツの録画に関する情報をダウンロードする情報ダウンロード・ステップと、
前記サーバからダウンロードした情報を解析するダウンロード情報解析ステップと、
ダウンロード情報の解析結果に基づいて、コンテンツの録画又は録画予約処理を制御する録画制御ステップと、
を具備することを特徴とするコンテンツ録画方法。
【請求項２０】
前記情報ダウンロード・ステップではコンテンツの自動録画処理を行なうアプリケーションをダウンロードし、
前記録画制御ステップでは、該ダウンロードした自動録画アプリケーションを起動してコンテンツの録画又は録画予約を制御する、
ことを特徴とする請求項１９に記載のコンテンツ録画方法。
【請求項２１】
前記情報ダウンロード・ステップではコンテンツの自動録画に関する情報を記述した所定のデータ・ファイルをダウンロードし、
前記録画制御ステップでは、該ダウンロードしたデータ・ファイルの記述内容に従ってコンテンツの録画又は録画予約を制御する、
ことを特徴とする請求項１９に記載のコンテンツ録画方法。
【請求項２２】
前記情報ダウンロード・ステップでは、情報のダウンロードに先立って、前記サーバと認証処理を行なう、
ことを特徴とする請求項１９に記載のコンテンツ録画方法。
【請求項２３】
前記サーバへ接続し前記情報ダウンロード・ステップによるダウンロードを起動する接続起動ステップをさらに備える、
ことを特徴とする請求項１９に記載のコンテンツ録画方法。
【請求項２４】
前記接続起動ステップでは、起動可能なアプリケーション又は前記サーバからダウンロード可能な情報をユーザに提示し、ユーザの選択動作に応答してアプリケーションの起動又は情報のダウンロードを実行する、
ことを特徴とする請求項２３に記載のコンテンツ録画方法。
【請求項２５】
自動録画したコンテンツに関する視聴情報を前記サーバに送信するステップをさらに備える、
ことを特徴とする請求項２０に記載のコンテンツ録画方法。
【請求項２６】
自動録画したコンテンツを視聴したことに応答して、次の録画日程データに関するアプリケーションをダウンロードするステップをさらに備える、
ことを特徴とする請求項２０に記載のコンテンツ録画方法。
【請求項２７】
コンテンツの録画に関する情報に基づいてコンテンツの録画処理を行なうための処理をコンピュータ・システム上で実行するようにコンピュータ可読形式で記述されたコンピュータ・プログラムであって、
ネットワーク上のサーバからコンテンツの録画に関する情報をダウンロードする情報ダウンロード・ステップと、
前記サーバからダウンロードした情報を解析するダウンロード情報解析ステップと、
ダウンロード情報の解析結果に基づいて、コンテンツの録画又は録画予約処理を制御する録画制御ステップと、
を具備することを特徴とするコンピュータ・プログラム。
【手続補正２】
【補正対象書類名】明細書
【補正対象項目名】００１７
【補正方法】変更
【補正の内容】
【００１７】
また、ここで言うコンテンツの録画に関する情報は、コンテンツの自動録画処理を行なうアプリケーション、又はコンテンツの自動録画に関する情報を記述した所定のデータ・ファイルのことである。
【手続補正３】
【補正対象書類名】明細書
【補正対象項目名】００５８
【補正方法】変更
【補正の内容】
【００５８】
アプリケーション・サーバは、受信機１０側で放送番組を自動録画予約するための自動録画予約アプリケーション、又は録画予約に関する情報を記述したＸＭＬ（ｅＸｔｅｎｓｉｂｌｅ  Ｍａｒｋｕｐ  Ｌａｎｇｕａｇｅ）データ・ファイルを提供している。
【手続補正４】
【補正対象書類名】明細書
【補正対象項目名】００５９
【補正方法】変更
【補正の内容】
【００５９】
また、アプリケーション・サーバは、テレビ局、コンテンツ制作者、“カモン！マイキャスター”（インターネット経由での予約録画を可能にし、ソフトウェアのアップグレードなどを提供するウェブ・サイトのこと）運営者などが用意するコンテンツ自動録画選択ページとアップデート情報を兼ね備えた機能モジュールを装備している。
【手続補正５】
【補正対象書類名】明細書
【補正対象項目名】００６４
【補正方法】変更
【補正の内容】
【００６４】
Ｊａｖａアプリケーション・フレームワークは、ＪａｖａＶＭや受信機１０本体ソフトの機能を呼び出すことや本体機能から呼び出される機能や異常検出機能なども備えている。
【手続補正６】
【補正対象書類名】明細書
【補正対象項目名】００７１
【補正方法】変更
【補正の内容】
【００７１】
番組予約の情報だけならば、アプリケーションとしてでなくて、ＸＭＬファイルなどのデータとしてダウンロードして、予約録画を設定するやり方も可能である。